(57)【要約】      （修正有）【課題】輝度を向上しながら眩光を低減できるランプカバーのオプティカルディバイスを提供する。【解決手段】透明のプラスチック材料から構成されるランプカバーのオプティカルディバイス１０であって、オプティカルディバイス１０は、滑らかな光入射面１００と、光入射面１００と反対的に設けられる滑らかな光出射面１０１を有する。光出射面１０１には、断面が逆の台形に現れる複数のマイクロ柵構成１１が設けられる。これらのマイクロ柵構成１１は、循環可能の循環光が発生され、この循環光が光源２０から発生する光と整合して射出され、循環光における側方向の光の相殺により、光を中央に集中し、輝度を向上しながら眩光の現象を低減する。【選択図】図４
2018133322.tif 000002
【特許請求の範囲】
【請求項１】
透明のプラスチック材料から構成されるオプティカルディバイスを有するランプカバーのオプティカルディバイスであって、前記オプティカルディバイスは、滑らかな光入射面と前記光入射面と反対的に設けられる滑らかな光出射面を有し、前記光出射面には、断面が逆の台形に現れる複数のマイクロ柵構成が設けられ、これらのマイクロ柵構成は、第１の斜面と、第２の斜面と、前記第１の斜面と前記第２の斜面との間に設けられる平面とを含み、
使用時には、前記光入射面の上方にて光源から真下に発射される光の一部を前記光出射面から射出し、前記光のほかの一部が前記第１、第２の斜面によって反射されると共に、循環可能の循環光が発生され、この循環光が前記光源から発生する光と整合して射出され、循環光における側方向の光の相殺により、光を中央に集中し、輝度を向上しながらゲン光の現象を低減することができることを特徴とするランプカバーのオプティカルディバイス。
【請求項２】
前記オプティカルディバイスは、光貫通率が６０％以上である透明のプラスチック材料から圧出又は射出によって成形されることを特徴とする請求項１に記載のランプカバーのオプティカルディバイス。
【請求項３】
前記第１の斜面と前記第２の斜面から構成される角度は、７０°〜１００°であることを特徴とする請求項１に記載のランプカバーのオプティカルディバイス。
【請求項４】
前記マイクロ柵構成の幅は、１ｍｍ〜３ｍｍであり、高さは、０.３５ｍｍ〜１.０５ｍｍであり、前記平面の幅は、０.１５ｍｍ〜０.８５ｍｍであり、また、前記窪み部における窪みの深さは、０.０２ｍｍ〜０.０８ｍｍであることを特徴とする請求項１に記載のランプカバーのオプティカルディバイス。
【請求項５】
前記光入射面は、平面、或いは前記マイクロ柵構成に対して窪み部を有する湾曲構成であることを特徴とする請求項１に記載のランプカバーのオプティカルディバイス。
【請求項６】
前記マイクロ柵構成の柵形状は、四角形又は六角形であることを特徴とする請求項４に記載のランプカバーのオプティカルディバイス。
【請求項７】
前記光源の光が前記光入射面から射出するとき、その光の通過率が３０％〜５５％であることを特徴とする請求項１に記載のランプカバーのオプティカルディバイス。
【請求項８】
前記光源の光が前記光出射面から射出するとき、その光の通過率が８０％〜１００％であることを特徴とする請求項１に記載のランプカバーのオプティカルディバイス。
【請求項９】
前記光入射面と前記光出射面は、ＡＧ（Anti Glare）処理を行ったＡＧ処理面であることにより、前記オプティカルディバイスの奥におけるランプチューブの光源を遮断することができることを特徴とする請求項１に記載のランプカバーのオプティカルディバイス。
【請求項１０】
前記光源は、前記オプティカルディバイスの側方向から光が入射すると共に、透明のプラスチック材料からなる光ガイドプレートを介して前記光源から入射された光を真下への光に転換し、そして前記の光入射面に入射することができることを特徴とする請求項１に記載のランプカバーのオプティカルディバイス。
【発明の詳細な説明】
【技術分野】
【０００１】
本発明は、ゲン光（眩光）を低減できるオプティカルディバイスであり、特に輝度を向上しながらゲン光を低減できるランプカバーのオプティカルディバイスに関するものである。
【背景技術】
【０００２】
従来の灯具では、その光源（例えば電球、ランプチューブ又はＬＥＤ）の発光面積が小さいため、目に対して激しく強烈なゲン光を発生する問題があり、このような問題を改善するために、従来の灯具には、柵状の構成によって使用者の目が光源に直接に見ることを防止することにより、ゲン光の現象を低減することがある。しかし、このような柵状の構成を使用しても強くではいえないゲン光の現象が相変わらず発生してしまうことがある。
【発明の概要】
【発明が解決しようとする課題】
【０００３】
また、上述の問題を解決するために、市販では、ゲン光を低減する可能のランプカバーが販売されている。このランプカバーの技術は、ランプカバーに光線を遮断できる粉が含まれる塗布材が塗布することにより、ゲン光の発生を防止する技術である。このようか構成はゲン光の発生を防止できるが、輝度に対して大幅に降下させてしまう問題が発生する。
【０００４】
前述の問題を解決するために、本発明は、輝度を向上しながらゲン光を低減できるランプカバーのオプティカルディバイスを提供することを目的とする。
【課題を解決するための手段】
【０００５】
本発明の主な目的は、ランプカバーのオプティカルディバイスを提供することであり、照明時に発生されるゲン光問題（特に低いゲン光）を低減できるとともに、元の輝度を維持することができる。
【０００６】
前記の課題を解決するために、本発明のランプカバーのオプティカルディバイスは、透明のプラスチック材料から構成されるオプティカルディバイスを有し、前記オプティカルディバイスは、光入射面と前記光入射面と反対的に設けられる光出射面を有し、前記光出射面には、複数のマイクロ柵構成が設けられ、これらのマイクロ柵構成は、第１の斜面と、第２の斜面と、前記第１の斜面と前記第２の斜面との間に設けられる平面とを含み、これにより、使用時には、前記第１、第２の斜面によって光源から真下に発射される光の一部を屈折すると共に、前記マイクロ柵構成において循環可能の循環光が発生され、この循環光が前記真下に発射される光と整合しながら前記オプティカルディバイスから射出され、この光の整合により、射出光の輝度が向上すると共に、循環光における側方向の光の相殺により、光を中央に集中することができるので、ゲン光の現象を低減することができる。
【図面の簡単な説明】
【０００７】
【図１】本発明に係わるランプカバーのオプティカルディバイスの斜視図である。
【図２】本発明に係わるランプカバーのオプティカルディバイスの実施例を示す平面図である。
【図３】本発明に係わるランプカバーのオプティカルディバイスの実施例を示す断面図である。
【図４】本発明に係わるランプカバーのオプティカルディバイスの使用状態を示す参考図である。
【図５】本発明に係わるランプカバーのオプティカルディバイスの他の使用状態を示す参考図である。
【図６】本発明に係わるランプカバーのオプティカルディバイスの他の実施例を示す平面図である。
【図７】本発明に係わるランプカバーのオプティカルディバイスの他の実施例を示す断面図である。
【発明を実施するための形態】
【０００８】
本発明の技術特徴とメリットを更に明白するために、具体的な実施例と合わせて添付図面によって詳細に説明するが、本発明は、これらの実施例に限られていない。
【０００９】
本発明は、「ランプカバーのオプティカルディバイス」に関するものであり、図１に示すように、本発明のランプカバーのオプティカルディバイスは、透明のプラスチック材料から圧出又は射出によって成形され、且つ光貫通率が６０％以上であるオプティカルディバイス（１０）を有し、前記透明のプラスチック材料は、例えばＰＳ（ポリスチレン）、ＰＣ（ポリカーボネート）、ＰＰ（ポリプロピレン）、アクリルなどである。
【００１０】
図２と図３に示すように、前記オプティカルディバイス（１０）には、滑らかな光入射面（１００）と前記光入射面（１００）と反対的に設けられる滑らかな光出射面（１０１）を有し、前記光出射面（１０１）には、複数のマイクロ柵構成（１１）が設けられ、前記マイクロ柵構成（１１）によって前記光入射面（１００）に窪み部（１００１）が形成され、前記マイクロ柵構成（１１）のそれぞれには、第１の斜面（１１１）と、第２の斜面（１１２）と、前記第１の斜面（１１１）と前記第２の斜面（１１２）との間に設けられる平面（１１３）とを含み、これらのマイクロ柵構成（１１）の断面が逆の台形に現れる。また、前記光入射面（１００）と前記光出射面（１０１）は、ＡＧ（Anti Glare）処理を行ったＡＧ処理面であってもよく、こうすることにより、前記オプティカルディバイス（１０）の奥における例えば電球、ランプチューブ又はＬＥＤなどの光源を遮断することができる。
【００１１】
図３に示すように、前記オプティカルディバイス（１０）における平面（１１３）の幅（Ｗ１）は、０.１５ｍｍ〜０.８５ｍｍであり、前記マイクロ柵構成（１１）の幅（Ｗ２）は、１ｍｍ〜３ｍｍであり、高さ（Ｈ１）は、０.３５ｍｍ〜１.０５ｍｍであり、また、前記窪み部（１００１）における窪みの深さ（Ｈ２）と水平面との距離は、０.０２ｍｍ〜０.０８ｍｍである。
【００１２】
図４に示すように、本発明に係わるランプカバーのオプティカルディバイスの使用時に、まず光源（２０）から真下への光（２１）が発生され、前記真下への光（２１）が前記オプティカルディバイス（１０）の上方から前記光入射面（１００）に入射され、前記真下への光（２１）の一部が前記光出射面（１０１）から射出され、前記真下への光（２１）の他の一部が前記マイクロ柵構成（１１）における第１の斜面（１１１）に到着した後、第１回の反射によって循環の光（２２）を発生し、この循環の光（２２）が前記第２の斜面（１１２）に到着した後、第２回の反射によって前記光源（２０）に射出され、そして前記真下への光（２１）と整合して前記光出射面（１０１）から射出される。
【００１３】
再び図４に示すように、前記光源（２０）の光が前記光入射面（１００）から射出するとき、その光の通過率が３０％〜５５％であり、また、前記光源（２０）の光が前記光出射面（１０１）から射出するとき、その光の通過率が８０％〜１００％である。本発明の構成によって光が前記マイクロ柵構成（１１）の内に循環を行い、散乱する光源を複数の反射によって元の光源に整合して射出することができ、循環光における側方向の光の相殺により、光を中央に集中することができるため、１割以上の輝度を向上することができ、しかもゲン光を低減することができる。また、前記マイクロ柵構成（１１）の内に光を循環させるためには、前記第１の斜面（１１１）と前記第２の斜面（１１２）から構成される角度（θ）は、７０°〜１００°である。
【００１４】
本発明に係わるほかの使用状態について、図５に示すように、前記光源（２０）は、前記オプティカルディバイス（１０）の側方向から光が入射すると共に、透明のプラスチック材料からなる光ガイドプレート（３０）を介して前記光源（２０）から入射された光を真下への光に転換し、そして前記の光入射面（１００）に入射することができる。また、前記光ガイドプレート（３０）の透明のプラスチック材料は、例えばＰＳ（ポリスチレン）、ＰＣ（ポリカーボネート）、ＰＰ（ポリプロピレン）、アクリルなどである。
【００１５】
図６に示すように、前記マイクロ柵構成（１１）の柵形状は、四角形（図２を参照する）又は六角形になってもよい。
【００１６】
また、図７に示すように、前記オプティカルディバイス（１０）における光入射面（１００）は、前記窪み部（１００１）（図３を参照する）のない平面であってもよい。
【００１７】
上述の説明は、本発明の好適な実施例に対する具体的な説明であるが、これらの実施例は本発明における特許請求の範囲を限定するものではなく、本発明の要旨に基づいてこれらの実施例の効果と等しい変形や変更して本発明を完成することができ、これらの変形や変更が本発明における特許請求の範囲に含まれるべきである。
【符号の説明】
【００１８】
１０            オプティカルディバイス            
１００              光入射面              
１００１  窪み部
１０１              光出射面                      
１１              マイクロ柵構成                  
１１１              第１の斜面            
１１２              第２の斜面
１１３              平面  
２０              光源    
２１              真下への光              
２２              循環の光
３０              光ガイドプレート                
Ｗ１              第１の幅
Ｗ２              第２の幅
Ｈ１              第１の高さ              
Ｈ２              第２の高さ
θ              角度      
【図１】
2018133322.tif 000003
【図２】
2018133322.tif 000004
【図３】
2018133322.tif 000005
【図４】
2018133322.tif 000006
【図５】
2018133322.tif 000007
【図６】
2018133322.tif 000008
【図７】
2018133322.tif 000009
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
透明なプラスチック材料から構成されるオプティカルディバイスを有するランプカバーのオプティカルディバイスであって、前記オプティカルディバイスは、滑らかな光入射面と前記光入射面と反対的に設けられる滑らかな光出射面を有し、前記光出射面には、断面が逆台形状の複数のマイクロ柵構成が設けられ、前記複数のマイクロ柵構成は、第１の斜面と、第２の斜面と、前記第１の斜面と前記第２の斜面との間に設けられる平面とを含み、
使用時には、前記光入射面の上方にて光源から真下に発射する光の一部が前記光出射面から射出し、前記光の他の一部が前記第１、第２の斜面によって反射されると共に、循環可能な循環光が発生され、前記循環光が前記光源から発射する光と整合して射出し、循環光における横方向の光の相殺により、光を中央に集中し輝度を向上させながら眩しさ発生現象を低減させることができ、
前記第１の斜面と前記第２の斜面から構成される角度は、７０°〜１００°であり、前記マイクロ柵構成の幅は、１ｍｍ〜３ｍｍであり、高さは、０.３５ｍｍ〜１.０５ｍｍであり、前記平面の幅は、０.１５ｍｍ〜０.８５ｍｍであることを特徴とするランプカバーのオプティカルディバイス。
【請求項２】
前記オプティカルディバイスは、光貫通率が６０％以上である透明なプラスチック材料から圧出又は射出によって成形されることを特徴とする請求項１に記載のランプカバーのオプティカルディバイス。
【請求項３】
前記光入射面は、平面、或いは前記マイクロ柵構成に対して窪み部を有する湾曲構成であることを特徴とする請求項１に記載のランプカバーのオプティカルディバイス。
【請求項４】
前記マイクロ柵構成の柵形状は、四角形又は六角形であることを特徴とする請求項１に記載のランプカバーのオプティカルディバイス。
【請求項５】
前記光源の光が前記光入射面から射出するとき、その光の通過率が３０％〜５５％であることを特徴とする請求項１に記載のランプカバーのオプティカルディバイス。
【請求項６】
前記光源の光が前記光出射面から射出するとき、その光の通過率が８０％〜１００％であることを特徴とする請求項１に記載のランプカバーのオプティカルディバイス。
【請求項７】
前記光入射面と前記光出射面は、ＡＧ（Anti Glare）処理を行ったＡＧ処理面であることにより、前記オプティカルディバイスの後方のランプチューブの光源を遮断することができることを特徴とする請求項１に記載のランプカバーのオプティカルディバイス。
【請求項８】
前記光源は前記オプティカルディバイスの横方向から光を入射させると共に、前記透明なプラスチック材料からなる光ガイドプレートを介して、前記横方向から入射させた光を真下への光に転換し、そして前記光入射面に入射させることができることを特徴とする請求項１に記載のランプカバーのオプティカルディバイス。